(57)【要約】      （修正有）【課題】一人の作業者でも容易に封緘作業を行うことができる箱封緘補助具を提供すること。【解決手段】第１フラップおよび第２フラップを有する箱を載置するための箱載置部２を有するベース枠体３と、箱を封緘する際に当該封緘箇所と干渉しない位置で第１フラップおよび第２フラップを押さえるためのフラップ押さえ部５と、箱載置部２に対してフラップ押さえ部５を回動可能な回動支持部４と、フラップ押さえ部５を固定するための固定手段１５と、で主に構成される。【選択図】図１
0003203848.tif 000002
【実用新案登録請求の範囲】
【請求項１】
第１フラップと第２フラップを有する箱を載置するための箱載置部を有するベース枠体と、
箱を封緘する際に当該封緘箇所と干渉しない位置で前記第１フラップおよび第２フラップを押さえるためのフラップ押さえ部と、
前記箱載置部に対して前記フラップ押さえ部を回動可能な回動支持部と、
前記フラップ押さえ部を固定するための固定手段と、
を具備することを特徴とする箱封緘補助具。
【請求項２】
前記固定手段は、引く及び／又は押すことにより前記フラップ押さえ部の固定を解除するための操作部を有していることを特徴とする請求項１記載の箱封緘補助具。
【請求項３】
前記回動部は、前記フラップ押さえ部が前記載置部に対して開く方向に弾性力を付勢する弾性部材を有することを特徴とする請求項１又は２記載の箱封緘補助具。
【請求項４】
前記ベース枠体は、前記箱の位置を決めるための箱位置決め部を有していることを特徴とする請求項１ないし３のいずれかに記載の箱封緘補助具。
【請求項５】
前記フラップ押さえ部は、少なくとも前記当接部で位置決めされた箱の封緘箇所に間隙を有する形状であることを特徴とする請求項４記載の箱封緘補助具。
【請求項６】
前記載置部は、前記箱の高さを調節するための高さ調節手段を有していることを特徴とする請求項１ないし５のいずれかに記載の箱封緘補助具。
【請求項７】
運搬用の手掛け部を更に具備することを特徴とする請求項１ないし６のいずれかに記載の箱封緘補助具。
【考案の詳細な説明】
【技術分野】
【０００１】
本考案は、主にダンボール箱の観音開き形態の第１フラップおよび第２フラップを粘着テープによって封緘するための箱封緘補助具に関する。
【背景技術】
【０００２】
従来、野菜や果物等の農作物は、段ボール箱等に箱詰めされて出荷されており、当該箱詰めを容易にするための箱封緘補助具も種々検討されている。例えば、作業台の側面に留め具によって固定された状態で、中央にボルトを突出させてなる取付板と、ボルトに螺合されるネジナットと、中央にボルトを通す孔と、左右に縦溝形態に形成されてなる左湾曲部および右湾曲部を有する調節板と、取付板に調節板が取付けられた状態で、左湾曲部および右湾曲部に嵌挿されて上下移動可能に保持されると共に、ダンボール箱の観音開き形態の第１フラップおよび第２フラップをそれぞれ押さえる保持部とからなるダンボール組立補助具が知られている（例えば、特許文献１）。
【０００３】
当該保持部は、棒部材をＵ字状に折り曲げて形成してなるもので、底部（連絡部）で連絡された、縦向きの細い丸棒製部材の左棒および右棒と、これら左棒および右棒の端部を逆Ｌ字状に折り曲げて形成され、ダンボール箱の観音開き形態の第１、第２フラップを押さえる横向きの左上固定部および右上固定部と、からなる。そして、左棒、右棒を左湾曲部、右湾曲部に嵌挿させた状態で、作業台の側面に固定されている取付板のボルトを孔に通して調節板を配置し、孔から出たボルトにネジナットを螺合させて締め、調節板および左棒、右棒を取付板と調節板で締付固定状態にして、左上固定部および右上固定部を望む高さ位置に保持する。
【先行技術文献】
【特許文献】
【０００４】
【特許文献１】実用新案登録第３１５９２６１号公報
【考案の開示】
【考案が解決しようとする課題】
【０００５】
しかしながら、上記ダンボール組立補助具は、ボルトとネジナットによる締結が面倒である等の問題があった。そこで本発明は、一人の作業者でも容易に封緘作業を行うことができる箱封緘補助具を提供することを目的とする。
【課題を解決するための手段】
【０００６】
上記目的を達成するために、本考案の箱封緘補助具は、第１フラップおよび第２フラップを有する箱を載置するための箱載置部を有するベース枠体と、箱を封緘する際に当該封緘箇所と干渉しない位置で前記第１フラップおよび第２フラップを押さえるためのフラップ押さえ部と、前記箱載置部に対して前記フラップ押さえ部を回動可能な回動支持部と、前記フラップ押さえ部を固定するための固定手段と、を具備することを特徴とする。
【０００７】
この場合、前記固定手段は、引く及び／又は押すことにより前記フラップ押さえ部の固定を解除するための操作部を有している方が好ましい。また、前記回動部は、前記フラップ押さえ部が前記載置部に対して開く方向に弾性力を付勢する弾性部材を有する方が好ましい。また、前記載置部は、前記箱の位置を決める箱位置決め部を有している方が好ましい。また、前記フラップ押さえ部は、少なくとも前記当接部で位置決めされた箱の封緘箇所に間隙を有する形状である方が好ましい。また、前記載置部は、前記箱の高さを調節するための高さ調節部を有している方が好ましい。また、運搬用の手掛け部を更に具備する方が好ましい。
【考案の効果】
【０００８】
本考案は、箱を封緘する際に、当該封緘箇所と干渉しない位置で第１フラップおよび第２フラップをフラップ押さえ部で押さえると共に、当該位置で固定手段によって固定するため、一人の作業者でも容易に封緘作業を行うことができる。
【図面の簡単な説明】
【０００９】
【図１】本考案のフラップ押さえ部を閉じた状態の箱封緘補助具を示す右側面図。
【図２】本考案のフラップ押さえ部を開いた状態の箱封緘補助具を示す右側面図。
【図３】本考案の箱封緘補助具を示す平面図。
【図４】本考案の箱封緘補助具を示す背面図。
【図５】本考案の箱封緘補助具を示す正面図。
【図６】本考案に係る爪操作機構部を示す内部構造図。
【図７】封緘作業手順を説明するための箱封緘補助具を示す側面図。
【考案を実施するための形態】
【００１０】
以下、本考案の実施例について説明する。但し、本考案は、これら実施例のみに限定されるものではない。
【００１１】
本考案の箱封緘補助具１は、図１〜図５に示すように、第１フラップＦ１および第２フラップＦ２を有する箱Ｈを載置するための箱載置部２を有するベース枠体３と、箱Ｈを封緘する際に当該封緘箇所と干渉しない位置で第１フラップＦ１および第２フラップＦ２を押さえるためのフラップ押さえ部５と、箱載置部２に対してフラップ押さえ部５を回動可能な回動支持部４と、フラップ押さえ部５を固定するための固定手段１５と、で主に構成される。
【００１２】
箱載置部２は、箱Ｈを載置可能であると共に、フラップ押さえ部５と共に箱Ｈの第１フラップＦ１および第２フラップＦ２を閉じた状態に挟持するためのものである。載置部２としては、例えば、幅広の平らな押さえ面を有する金属製、木製、ゴム製又は合成樹脂製の長板材を用いれば良い。
【００１３】
ベース枠体３は、箱載置部２とフラップ押さえ部５の間に所定の間隔を空けて支持するためのものである。例えば、ベース枠体３には該ベース枠体３の構成部分として後部支柱６ａ、６ｂが立設されている。後部支柱６ａ、６ｂの上部には回動支持部４が設けられており、当該回動支持部４を介して、フラップ押さえ部５が支持される。
【００１４】
また、ベース枠体３は、箱Ｈの位置を確実に決めるために、箱位置決め部１４を設けても良い。例えば、ベース枠体３の後部支柱６ａ、６ｂの内側（箱が載置される側）に、箱Ｈの側面の位置きめと箱Ｈの左右への動きを規制する箱位置決め部１４を設けることができる。
【００１５】
回動支持部４は、箱載置部２に箱を載置したり取り外したりする位置と、載置された箱の第１フラップＦ１および第２フラップＦ２を閉じた状態にする位置との間で、箱載置部２に対してフラップ押さえ部５を回動するためのものである。回動支持部４は、例えば、後部支柱６ａ、６ｂの上部に配置される軸４ａ、４ｂと、当該軸に回動可能に支持される略くの字状のアーム４ｃ、４ｄと、アーム４ｃ、４ｄに弾性力を付勢するための弾性部材１１ａ、１１ｂ（ここではコイルばね）とで構成される。アーム４ｃ、４ｄの一端にはフラップ押さえ部５の第２押さえ部５ｂが連結され、他端には、弾性部材１１ａ、１１ｂが連結される。また、後部支柱６ａ、６ｂの中間付近には弾性部材下掛け部７ａ、７ｂが設けられており、弾性部材１１ａ、１１ｂのもう一方の端部が支持される。この際、弾性部材１１ａ、１１ｂの弾性力は、フラップ押さえ部５が箱載置部２から離間する方向に回動するように付勢される。また、後部支柱６ａ、６ｂの軸４ａ、４ｂより下部側には倒れ阻止ピン１３ａ、１３ｂが設けられている。これにより、アーム４ｃ、アーム４ｄは、フラップ押さえ部５を開いた際に、倒れ阻止ピン１３ａ、１３ｂに当接し、それ以上後方に倒れることがない。回動支持部４をこのように形成することにより、フラップ押さえ部は、所定の位置で開いた状態に維持することができる。
【００１６】
フラップ押さえ部５は、第１フラップＦ１を押さえて閉じるための第１押さえプレート５１と、第２フラップＦ２を押さえて閉じるための第２押さえプレート５２と、第１押さえプレート５１およびの第２押さえプレート５２を支持するための支持部材とで主に構成される。第１押さえプレート５１およびの第２押さえプレート５２は、例えば、幅広の平らな押さえ面を有する金属製、木製、ゴム製又は合成樹脂製の長板材を用いれば良い。
【００１７】
支持部材は、第１押さえプレート５１を支持する第１押さえ部５ａと、第２押さえプレート５２を支持する第２押さえ部５ｂと、押さえプレート５１、５２の両端側において第１押さえ部５ａと第２押さえ部５ｂを連結する略Ｕ字状の封緘位置連結部５ｃ、５ｄとで構成される。これにより、封緘箇所である箱本体Ｔの左側面、閉じた状態の第１フラップＦ１と第２フラップＦ２の上部面および箱本体Ｔの右側面に粘着テープＮを貼りつけるためのテープ貼付け用の間隙５ｅが形成される。
【００１８】
なお、押さえプレート５１、５２を設けないで、第１押さえ部５ａ、第２押さえ部５ｂの底面で直接第１フラップＦ１と第２フラップＦ２を押さえるように形成してもよい。この場合、第１押さえ部５ａ、第２押さえ部５ｂの底面を幅広の平らな形態とするのがよい。また、第１押さえ部５ａ、第２押さえ部５ｂを設けないで、押さえプレート５１、５２の側面に、直接封緘位置連結部５ｃ、５ｄがネジや接着等によって連結された形態としてもよい。
【００１９】
第１押さえ部５ａの正面側（回動支持部４と対向する側）には、フラップ押さえ部５を箱載置部２側に回動させる際に把持するための把持部が設けられている。把持部は、例えば、図３および図５に示すように、第１押さえ部５ａ、第２押さえ部５ｂから箱本体Ｔの前側（正面側）に沿って立下り形態で垂下する２本の立下り部位５ｆと、当該２本の立下り部位５ｆの間に配置される手掛け部位５ｇで構成すれば良い。
【００２０】
固定手段１５は、フラップ押さえ部５の第１フラップＦ１と第２フラップＦ２の押さえて閉じた状態に保持するためのものである。固定手段１５は、例えば、ベース枠体３側に配置される爪操作機構部２１と、フラップ押さえ部５側に配置される爪押し込み掛かり部９で構成される。
【００２１】
爪操作機構部２１は、ベース枠体３の回動支持部４とは対向する側に配置された筐体１６と、この筐体１６内の圧縮コイルばねからなる爪付勢手段１８の弾性力により押し出し状態で該筐体１６から一部を突出してなる爪１７と、この爪１７を爪付勢手段１８の付勢力に抗して引き動作させる操作アーム２９と、この操作アーム２９を手で操作するためのもので筐体１６の外側に設けられた操作部２０と、主に構成される。
【００２２】
図６に示すように、爪１７は、筐体１６の爪開口２５から突出され、爪開口２５の内側には爪１７を収納しその出入動作を案内する爪案内部２６が設けられる。また、爪案内部２６内には爪１７を押し出す方向へ弾性力を付勢する爪付勢手段１８が設けられる。爪１７の上部には回転リング付きの爪用軸２７が突出形態で設けられる。爪案内部２６の更に奥側にはアーム用軸２８が設けられ、操作アーム２９がアーム用軸２８に回動自在に軸支される。また、操作アーム２９のアーム用軸２８より爪１７側には、プレート状の爪引き部３０が設けられている。爪引き部３０には、爪用軸２７を係合可能であると共に、端部に行くほどアーム用軸２８からの距離が徐々に小さくなるアーチ状の開口を有する爪引き用開口３１が形成されている。操作アーム２９のアーム用軸２８から外側に延長している部位は、筐体１６の側面に開口された操作開口３３を通り、その先端側には手で押したり引いたりすることができるレバー状の操作部２０が設けられている。そして、当該操作部２０の操作により、爪用軸２７を介して爪１７を引き込み移動させることができる。
【００２３】
固定手段１５の操作とその動作を更に詳細に説明する。図６（ａ）は、操作部２０に力が加わっていない状態を示す。この状態では、爪付勢手段１８の弾性力によって爪用軸２７がアーム用軸２８からの距離が最も遠い位置である爪引き用開口３１の中央部に来る。したがって、爪１７は筐体１６の外に突出している状態となる。
【００２４】
図６（ｂ）は、操作部２０に押す方向の力が加わっている状態を示す。この状態では、動かし量を増やすにつれて爪用軸２７と爪引き用開口３１の当接部位がアーム用軸２８側に移動して行くので、爪１７は引き込まれた状態となる。この際、爪押し込み掛かり部９が掛かっていれば、その掛かりが解除され、フラップ押さえ部５が弾性部材１１ａ、１１ｂの弾性力により箱載置部２から離間する方向に回動し、開いた状態となる。操作部２０から手を離すと、爪付勢手段１８の弾性力によって自動的に図６（ａ）の状態に戻り、爪１７は突出状態となる。
【００２５】
図６（ｃ）は、操作部２０に引く方向の力が加わっている状態を示す。この状態においても、動かし量を増やすにつれて爪用軸２７と爪引き用開口３１の当接部位がアーム用軸２８側に移動して行くので、爪１７は引き込また状態となる。したがって、同様に、爪押し込み掛かり部９が掛かっていれば、その掛かりが解除され、フラップ押さえ部５が弾性部材１１ａ、１１ｂの弾性力により箱載置部２から離間する方向に回動し、開いた状態となる。操作部２０から手を離しすと、爪付勢手段１８の弾性力によって自動的に図６（ａ）の状態に戻り、爪１７は突出状態となる。
【００２６】
つまり、操作部２０を操作しないときは常に爪１７が突出状態になりそれが維持される。したがって、フラップ押さえ部５を降ろして閉じる操作をするだけで、自動的に爪押し込み掛かり部９が爪１７に掛かり、第１フラップＦ１と第２フラップＦ２は押さえて閉じられた状態となるので、操作し易く素早い操作を可能とする。また、本考案の固定手段は、操作部２０を引く方向と押す方向の両表の方向に操作することができ、固定手段による解除を更に容易に行うことができる。
【００２７】
また、箱封緘補助具１は、作業台等の上に移動可能とするために、運搬用の手掛け部を更に設けても良い。手掛け部は、運搬に用いることができればどのようなものでもよく、例えば、装置を持ち上げ運ぶときに手を掛けたり持ったりするための円柱状の手掛け部８ａ、８ｂをベース枠体３の下部に配置すれば良い。また、図４では、手掛け部８ａ、８ｂは、ベース枠体３の内側に設けているが、ベース本体３の外側に設けても良い。
【００２８】
また、本考案の箱封緘補助具１は作業台の上に置く形態としているが、それに限られず、床に立脚する脚部を有する形態としてもよい。
【００２９】
図７を参照して箱封緘補助具１の封緘手順について説明する。フラップ押さえ部５を上げ、開いた状態にして、箱載置部２に箱Ｈを置き、箱位置決め部１４に箱の後部側面を当て位置決めをする（図７（ａ）の状態）。次に、第１フラップＦ１と第２フラップＦ２を内側に折り、フラップ押さえ部５を手で降ろして爪１７に爪押し込み掛かり部９を掛け、押さえプレート５１と押さえプレート５２によって第１フラップＦ１と第２フラップＦ２を折り畳み状態に押さえ、保持する（図７（ｂ）の状態）。フリーとなった両手で粘着テープＮを貼りつけ封緘する（図７（ｃ）の状態）。その後、操作部２０を押す操作又は引く操作をして、爪押し込み掛かり部９の掛かり状態を解除すると、弾性部材１１ａ、１１ｂの弾性力で開き操作がし易くなっているフラップ押さえ部５が上がる。弾性部材１１ａ、１１ｂの弾性力の強さによっては自動的に開いた状態（図７（ａ）の状態）まで戻すことも可能である。
【００３０】
なお、箱載置部２は、箱の高さを調節するための高さ調節手段を有していても良い。高さ調節手段としては、例えば、ベース枠体３に高さの異なる複数のねじ孔を設けておき、当該ねじ孔にボルトとナットで箱載置部２を締結するようにすれば良い。高さを調節したいときは、ボルトを通すねじ孔の高さを変えれば良い。
【００３１】
また、高さ調節手段の別の形態としては箱載置部２をベース枠体３から昇降動作させて、複数種類の高さの箱に対応させることができジャッキ部を設けても良い。例えば、ジャッキ部は、ベース枠体３に固定されたジャッキ本体を収納してなる固定筐体と、この固定筐体に被せ形態で設けられ且つ該固定筐体に案内されて前記ジャッキ本体によって昇降動作可能とされた可動筐体と、回転操作によりジャッキ本体の昇降動作を行うための操作ハンドルとで構成することができる。これにより、箱の大きさに合わせて簡単に箱載置部２の高さを調節することができる。
【産業上の利用可能性】
【００３２】
本考案は、主にダンボール箱を手作業で封緘する作業を行う産業で利用される。
【符号の説明】
【００３３】
Ｈ：箱
Ｔ：箱本体
Ｆ１：第１フラップ
Ｆ２：第２フラップ
Ｎ：粘着テープ
１：箱封緘補助具
２：箱載置部
３：ベース枠体
４ａ、４ｂ：回動支持部
４ｃ、４ｄ：アーム
５：フラップ押さえ部
５ａ：第１押さえ部
５ｂ：第２押さえ部
５ｃ、５ｄ：封緘位置連結部
５ｅ：間隙
５ｆ：立下り部位
５ｇ：手掛け部位
６ａ、６ｂ：後部支柱
７ａ、７ｂ：弾性部材下掛け部
８ａ：第１手掛け部
８ｂ：第２手掛け部
９：爪押し込み掛かり部
１１ａ、１１ｂ：弾性部材
１３ａ、１３ｂ：倒れ阻止ピン
１４：箱位置決め部
１５：固定手段
１６：筐体
１７：爪
１８：爪付勢手段
２０：操作部
２１：爪操作機構部
２５：爪開口
２６：爪案内部
２７：爪用軸
２８：アーム用軸
２９：操作アーム
３０：爪引き部
３１：爪引き用開口
３３：操作開口
【図１】
0003203848.tif 000003
【図２】
0003203848.tif 000004
【図３】
0003203848.tif 000005
【図４】
0003203848.tif 000006
【図５】
0003203848.tif 000007
【図６】
0003203848.tif 000008
【図７】
0003203848.tif 000009
【手続補正書】
【提出日】平成28年2月17日(2016.2.17)
【手続補正１】
【補正対象書類名】実用新案登録請求の範囲
【補正対象項目名】全文
【補正方法】変更
【補正の内容】
【実用新案登録請求の範囲】
【請求項１】
第１フラップと第２フラップを有する箱を載置するための箱載置部を有するベース枠体と、
箱を封緘する際に当該封緘箇所と干渉しない位置で前記第１フラップおよび第２フラップを押さえるためのフラップ押さえ部と、
前記箱載置部に対して前記フラップ押さえ部を回動可能な回動支持部と、
前記フラップ押さえ部を固定するための固定手段と、
を具備することを特徴とする箱封緘補助具。
【請求項２】
前記固定手段は、引く及び／又は押すことにより前記フラップ押さえ部の固定を解除するための操作部を有していることを特徴とする請求項１記載の箱封緘補助具。
【請求項３】
前記回動部は、前記フラップ押さえ部が前記箱載置部に対して開く方向に弾性力を付勢する弾性部材を有することを特徴とする請求項１又は２記載の箱封緘補助具。
【請求項４】
前記ベース枠体は、前記箱の位置を決めるための箱位置決め部を有していることを特徴とする請求項１ないし３のいずれかに記載の箱封緘補助具。
【請求項５】
前記フラップ押さえ部は、少なくとも前記箱位置決め部で位置決めされた箱の封緘箇所に間隙を有する形状であることを特徴とする請求項４記載の箱封緘補助具。
【請求項６】
前記箱載置部は、前記箱の高さを調節するための高さ調節手段を有していることを特徴とする請求項１ないし５のいずれかに記載の箱封緘補助具。
【請求項７】
運搬用の手掛け部を更に具備することを特徴とする請求項１ないし６のいずれかに記載の箱封緘補助具。